(57)【要約】イメージング・システム（１２０）が圧力波を発生させ、外部圧力波を電気信号に変換するためのトランシーバ・セル（２１０）と；前記トランシーバ・セル（２１０）の動作を制御するための制御ユニット（２０８）とを含む。トランシーバ・セル（２１０）は：基板（５０１）と；前記基板（５０１）から懸架される少なくとも一つの膜（５０４）と；前記少なくとも一つの膜に取り付けられた複数のトランスデューサ素子（５２０）とを含む。前記複数のトランスデューサ素子（５２０）のそれぞれは、下部電極（８０６）、下部電極上の圧電層（８０４）および圧電層上の少なくとも一つの上部電極（８０２）を有する。前記複数のトランスデューサ素子（５２０）のそれぞれは、前記下部電極（８０６）および前記少なくとも一つの上部電極（８０２）の間に電位を印加することに応答して曲げモーメントを生成し、前記外部圧力波に起因する曲げモーメントに応答して電荷を生成する。
2020501473.tif 000002
【特許請求の範囲】
【請求項１】
基板と；
前記基板から懸架される少なくとも一つの膜と；
前記少なくとも一つの膜に取り付けられた複数のトランスデューサ素子とを有する、
トランシーバ素子であって、
前記複数のトランスデューサ素子のそれぞれは、下部電極、下部電極上の圧電層および圧電層上の少なくとも一つの上部電極を有し、前記複数のトランスデューサ素子のそれぞれは、前記下部電極と前記少なくとも一つの上部電極の間に電位を印加することに応答して曲げモーメントを生成し、曲げモーメントを印加することに応答して電荷を生成する、
トランシーバ素子。
【請求項２】
前記少なくとも一つの膜が、溝およびバンプの少なくとも一方を含み、それにより可変の厚さをもつ、請求項１記載のトランシーバ素子。
【請求項３】
前記複数の圧電素子のうちの第一の圧電素子が、前記複数の圧電素子のうちの第二の圧電素子と逆向きに分極されている、請求項１記載のトランシーバ素子。
【請求項４】
前記第一および第二の圧電素子が逆向きの曲げモーメントを生成する、請求項３記載のトランシーバ素子。
【請求項５】
前記第一の圧電素子が前記第二の圧電素子と同じ向きの曲げモーメントを生成する、請求項３記載のトランシーバ素子。
【請求項６】
前記第一の圧電素子の前記少なくとも一つの上部電極が、前記第二の圧電素子の前記下部電極に電気的に結合され、前記第一の圧電素子の前記下部電極が前記第二の圧電素子の前記少なくとも一つの上部電極に電気的に結合されている、請求項３記載のトランシーバ素子。
【請求項７】
前記圧電層が一つまたは複数の圧電サブ層を含む、請求項１記載のトランシーバ素子。
【請求項８】
前記少なくとも一つの膜が第一および第二の膜を含み、前記第一および第二の膜が異なる共振モードでアクチュエーションされる、請求項１記載のトランシーバ素子。
【請求項９】
第一の圧電素子に加えられる電気信号が第二の圧電素子に加えられる電気信号に対して位相遅延をもつ、請求項１記載のトランシーバ素子。
【請求項１０】
前記少なくとも一つの膜が第一および第二の膜を含み、前記第一の膜は送信モードにおいて圧力波を生成するために動作し、前記第二の膜は受信モードにおいて圧力波を検出するためにのみ動作する、請求項１記載のトランシーバ素子。
【請求項１１】
前記基板が前記少なくとも一つの膜の下に配置された少なくとも一つの空洞を含み、前記空洞は真空であるまたは気体で充填されている、請求項１記載のトランシーバ素子。
【請求項１２】
第二の基板をさらに有しており、前記第二の基板は第一の金属導体を含み、前記少なくとも一つの膜は第二の金属導体を含み、前記第一および第二の金属導体がキャパシタを形成する、請求項１記載のトランシーバ素子。
【請求項１３】
第二の基板をさらに有しており、前記第二の基板は光源を含み、前記少なくとも一つの膜は前記光源によって発される光の一部を通過させるよう配置された開口を含む、請求項１記載のトランシーバ素子。
【請求項１４】
前記圧電層が、PZT、KNN、PZT-N、PMN-Pt、AlN、Sc-AlN、ZnO、PVDFおよびLiNiO3のうちの少なくとも一つを含む、請求項１記載のトランシーバ素子。
【請求項１５】
前記基板において形成され、かつ膜と膜の間に配置された一つまたは複数の溝をさらに有する、請求項１記載のトランシーバ素子。
【請求項１６】
圧力波を発生させ、外部圧力波を電気信号に変換するためのトランシーバ・セルと；
前記トランシーバ・セルの動作を制御するための制御ユニットとを有するイメージング・システムであって、
前記トランシーバ・セルは：
基板と；
前記基板から懸架される少なくとも一つの膜と；
前記少なくとも一つの膜に取り付けられた複数のトランスデューサ素子とを含み、前記複数のトランスデューサ素子のそれぞれは、下部電極、下部電極上の圧電層および圧電層上の少なくとも一つの上部電極を有し、前記複数のトランスデューサ素子のそれぞれは、前記下部電極および前記少なくとも一つの上部電極の間に電位を印加することに応答して曲げモーメントを生成し、前記外部圧力波に起因する曲げモーメントに応答して電荷を生成する、
イメージング・システム。
【請求項１７】
前記トランシーバ・タイルによって生成された圧力波を集束させるためのコーティング層をさらに有する、
請求項１６記載のイメージング・システム。
【請求項１８】
前記電気信号を処理するためのプロセッサと；
前記プロセッサからの処理された信号に基づいて画像を表示するためのディスプレイとをさらに有する、
請求項１６記載のイメージング・システム。
【請求項１９】
前記複数の圧電素子のうちの第一の圧電素子は、前記複数の圧電素子のうちの第二の圧電素子と逆向きに分極されている、請求項１６記載のイメージング・システム。
【請求項２０】
前記少なくとも一つの膜は第一および第二の膜を含み、前記第一および第二の膜は異なる共振モードでアクチュエーションされる、請求項１６記載のイメージング・システム。
【発明の詳細な説明】
【技術分野】
【０００１】
Ａ．技術分野
本発明は、イメージング・デバイスに関し、より詳細には、圧電トランスデューサを有するイメージング・デバイスに関する。
【背景技術】
【０００２】
Ｂ．発明の背景
人体の内部器官を画像化し、内部器官の画像を表示するための非侵入的イメージング・システムは、信号を人体中に送信し、器官から反射された信号を受信する。典型的には、イメージング・システムにおいて使用されるトランスデューサはトランシーバと呼ばれ、トランシーバのいくつかは、光音響効果または超音波効果に基づく。一般に、圧電トランスデューサは、医療撮像、管内の流れ測定、スピーカー、マイクロフォン、砕石術、治療のための組織加熱および手術のための高強度集束超音波（HIFU）のような撮像および他の応用に使用される。
【０００３】
ミクロ機械加工技術の進歩により、センサーやアクチュエータを基板に効率的に組み込むことができる。特に、容量性変換（cMUT）または圧電変換（pMUT）を使うミクロ機械加工超音波トランスデューサ（MUT）は、大きな形状因子を有する従来のバルク圧電素子と比較して特に有利である。これらのトランスデューサの基本的な概念は1990年代初頭に開示されたが、これらの概念の商業的実装は多くの課題に直面している。たとえば、従来のcMUTセンサーは、動作中の誘電電荷の蓄積のため、特に障害または性能のドリフトを起こしやすい。従来のpMUTは有望な選択肢であったが、送信および受信の非効率性に関する問題がある。よって、効率を高め、さまざまなセンシング・デバイスに適用できるpMUTが必要とされている。
【発明の概要】
【０００４】
実施形態において、トランシーバ素子は：基板と；基板から懸架する少なくとも一つの膜と；前記少なくとも一つの膜に取り付けられた複数のトランスデューサ素子とを含み、前記複数のトランスデューサ素子のそれぞれは、下部電極、下部電極上の圧電層および圧電層上の少なくとも一つの上部電極を有し、前記複数のトランスデューサ素子のそれぞれは、前記下部電極と前記少なくとも一つの上部電極の間に電位を印加することに応答して曲げモーメントを生成し、曲げモーメントを印加することに応答して電荷を生成する。
【０００５】
実施形態において、イメージング・システムは、圧力波を発生させ、外部圧力波を電気信号に変換するトランシーバ・セルと、トランシーバ・セルの動作を制御する制御ユニットとを含む。前記トランシーバ・セルは、基板と；基板から懸架する少なくとも一つの膜と；前記少なくとも一つの膜に取り付けられた複数のトランスデューサ素子とを含み、前記複数のトランスデューサ素子のそれぞれは、下部電極、下部電極上の圧電層および圧電層上の少なくとも一つの上部電極を有し、前記複数のトランスデューサ素子のそれぞれは、前記下部電極および前記少なくとも一つの上部電極の間に電位を印加することに応答して曲げモーメントを生成し、前記外部圧力波に起因する曲げモーメントに応答して電荷を生成する。
【図面の簡単な説明】
【０００６】
本発明の実施形態を参照する。実施形態の例が添付の図面に示されることがある。これらの図は、限定ではなく、例示的であることが意図されている。本発明は一般にこれらの実施形態の文脈で説明されるが、本発明の範囲をこれらの特定の実施形態に限定することは意図されていないことを理解しておくべきである。
【０００７】
【図１】本開示の実施形態によるイメージング・システムを示す図である。
【０００８】
【図２】本開示の実施形態によるイメージャのブロック図を示す。
【０００９】
【図３Ａ】本開示の実施形態による例示的なトランシーバ・タイルの概略図を示す。
【００１０】
【図３Ｂ】本開示の実施形態による一つまたは複数のトランシーバ・タイルを含むトランシーバ・アレイの上面図および側面図を示す。
【００１１】
【図４Ａ】本開示の実施形態によるトランシーバ・セルの拡大図を示す。
【００１２】
【図４Ｂ】本開示の実施形態による例示的な圧電素子の断面図を示す。
【００１３】
【図５】本開示の実施形態による、線4-4に沿って取られた、図４Ａにおけるトランシーバ・セルの断面図を示す。
【００１４】
【図６】本開示の実施形態によるトランシーバ・セルの概略断面図を示す。
【図７】本開示の実施形態によるトランシーバ・セルの概略断面図を示す。
【００１５】
【図８】本開示の実施形態による圧電素子内に曲げモーメントを生成する機構を示す。
【００１６】
【図９】本開示の実施形態による圧電素子上に電荷を発生させる機構を示す。
【００１７】
【図１０】本開示の実施形態による、複数の圧電素子への電気的接続の概略図を示す。
【図１１】本開示の実施形態による、複数の圧電素子への電気的接続の概略図を示す。
【００１８】
【図１２】本開示の実施形態による、複数の圧電素子に結合された例示的な膜の斜視図を示す。
【００１９】
【図１３】本開示の実施形態による図１２の膜の断面図を示す。
【００２０】
【図１４】本開示の実施形態による送信モード／プロセスにおける図１３の膜の数値シミュレーションを示す。
【００２１】
【図１５】本開示の実施形態による時間遅延の関数としての図１２における膜の利得のプロットを示す。
【００２２】
【図１６】本開示の実施形態による異なる共振周波数特性を有する複数の膜を有するトランシーバ・セルの概略図を示す。
【００２３】
【図１７】本開示の実施形態による周波数の関数としての図１６の膜の利得のプロットを示す。
【００２４】
【図１８Ａ】本開示の実施形態による異なる共振周波数特性を有する複数の膜を有するトランシーバ・セルの概略図を示す。
【００２５】
【図１８Ｂ】本開示の実施形態による周波数の関数としての図１８Ａの膜の利得のプロットを示す。
【００２６】
【図１９Ａ】本開示の実施形態による、異なる周波数応答を有する複数の膜を有するトランシーバ・セルの概略図を示す。
【００２７】
【図１９Ｂ】本開示の実施形態による、周波数の関数としての図１９Ａの膜の利得のプロットを示す。
【００２８】
【図２０】本開示の実施形態による、複数の膜を有するトランシーバ・セルの概略図を示す。
【００２９】
【図２１Ａ】本開示の実施形態による、図２０の膜のうちの一つの断面図を示す。
【００３０】
【図２１Ｂ】本開示の実施形態による第一共振モードでアクチュエーションされる図２１Ａの膜を示す。
【００３１】
【図２２Ａ】本開示の実施形態による、図２０の膜のうちの一つの断面図を示す。
【００３２】
【図２２Ｂ】本開示の実施形態による、第三共振モードでアクチュエーションされる図２２Ａの膜を示す。
【００３３】
【図２３Ａ】本開示の実施形態による、図２０の膜のうちの一つの断面図を示す。
【００３４】
【図２３Ｂ】本開示の実施形態による第五共振モードでアクチュエーションされる図２３Ａの膜を示す。
【００３５】
【図２４】本開示の実施形態による、二つの膜を有する例示的なトランシーバ・セルを製造するためのステップを示す。
【図２５】本開示の実施形態による、二つの膜を有する例示的なトランシーバ・セルを製造するためのステップを示す。
【図２６】本開示の実施形態による、二つの膜を有する例示的なトランシーバ・セルを製造するためのステップを示す。
【図２７】本開示の実施形態による、二つの膜を有する例示的なトランシーバ・セルを製造するためのステップを示す。
【図２８】本開示の実施形態による、二つの膜を有する例示的なトランシーバ・セルを製造するためのステップを示す。
【００３６】
【図２９】本開示の実施形態による異なる電極パターンを有する三つのトランシーバ・セルの概略図を示す。
【００３７】
【図３０】本開示の実施形態による周波数の関数としての図２９におけるトランシーバ・セルの利得のプロットを示す。
【発明を実施するための形態】
【００３８】
以下の記述では、説明の目的上、開示の理解を提供するために、具体的な詳細が記載される。しかしながら、本開示がこれらの詳細なしに実施可能であることは、当業者には明白であろう。さらに、当業者は、以下に記述される本開示の実施形態が、プロセス、装置、システムまたはデバイスなどの多様な仕方で実装されうることを認識するであろう。
【００３９】
図に示される要素／コンポーネントは、本開示の例示的な実施形態を示しており、本開示を埋没させることを避けることが意図されている。明細書において、「一つの実施形態」、「好ましい実施形態」、「ある実施形態」または「実施形態」への言及は、その実施形態に関連して記載される特定の特徴、構造、特性または機能が、本開示の少なくとも一つの実施形態に含まれ、複数の実施形態に含まれていてもよいことを意味する。明細書の随所において「一実施形態では」、「ある実施形態では」、または「実施形態では」という句が現われることは、必ずしもすべて同じ実施形態（単数または複数）を指しているわけではない。「含む」「含んでいる」「有する」「有している」という用語はオープン・タームであると理解されるものとし、それに伴うリストは例であり、リストされた項目に限定されることは意図されていない。本明細書において使用されるいかなる見出しも、単に整理の目的のためであり、明細書または請求項の範囲を限定するためには使われない。さらに、明細書のさまざまな箇所におけるある種の用語の使用は、例示のためのものであり、限定として解釈されるべきではない。
【００４０】
図１は、本開示の実施形態によるイメージング・システム１００を示す。図のように、システム１００は、送信モード／プロセスにおいて、心臓などの内部器官１１２に向かって圧力波１２２を生成し送信するイメージャ１２０と；通信チャネル１３０を通じてイメージャに信号を通信する装置１０２とを含んでいてもよい。実施形態において、内部器官１１２は、圧力波１２２の一部をイメージャ１２０に向かって反射してもよく、イメージャ１２０は、受信モード／プロセスにおいて、反射された圧力波を捕捉し、電気信号を生成しうる。イメージャ１２０は、該電気信号を装置１０２に伝えてもよく、装置１０２は、該電気信号を使って、ディスプレイ／スクリーン１０４上に人間の器官の画像を表示しうる。
【００４１】
イメージャ１２０は、動物の内部器官の画像を得るために使用されてもよいことを注意しておく。また、圧力波１２２は、人間／動物の体を通過し、内部器官によって反射されることができる音響波、超音波または光音響波でありうることも注意しておく。
【００４２】
実施形態において、イメージャ１２０は、ポータブル装置であってもよく、無線でまたはケーブルを介して、通信チャネル１３０を通じて装置１０２と信号を通信してもよい。実施形態では、装置１０２は、携帯電話またはiPad(登録商標)などのモバイル装置、またはユーザーに対して画像を表示することができる静止コンピューティング装置であってもよい。
【００４３】
図２は、本開示の実施形態によるイメージャ１２０のブロック図を示す。実施形態において、イメージャ１２０は、超音波イメージャであってもよい。図２に描かれるように、イメージャ１２０は：圧力波を送受信するためのトランシーバ・タイル（単数または複数）２１０と；圧力波を集束させるレンズとして動作し、トランシーバ・タイルと人体１１０との間のインピーダンス・インターフェースとしても機能するコーティング層２１２と；トランシーバ・タイル２１０を制御するためのASICチップのような制御ユニット２０２と；イメージャ１２０のコンポーネントを制御するためのマイクロプロセッサ２１４と；一つまたは複数のポート２３０を通じて装置１０２のような外部装置とデータを通信するための通信ユニット２０８と；データを記憶するためのメモリ２１８と；イメージャのコンポーネントに電力を提供するためのバッテリー２０６と；任意的に、目標器官の画像を表示するためのディスプレイ２１６とを含んでいてもよい。
【００４４】
実施形態において、装置１０２がディスプレイ／スクリーンを有していてもよい。そのような場合、イメージャ１２０にはディスプレイは含まれなくてもよい。実施形態において、イメージャ１２０は、ポート２３０のうちの一つを通して装置１０２から電力を受け取ってもよい。そのような場合、イメージャ１２０は、バッテリー２０６を含まなくてもよい。イメージャ１２０のコンポーネントのうちの一つまたは複数は、一つの一体型の電気素子に組み合わされてもよいことを注意しておく。同様に、イメージャ１２０の各コンポーネントは、一つまたは複数の電気素子において実装されてもよい。
【００４５】
実施形態において、ユーザーは、コーティング層２１２と人体１１０との間のインピーダンス整合が改善されうるよう、すなわち界面での電力損失が低減されるよう、コーティング層２１２上にゲルを塗布してもよい。
【００４６】
図３Ａは、本開示の実施形態による例示的なトランシーバ・タイル２１０の概略図を示す。セル３００の数およびトランシーバ・タイル２１０内のトランシーバ・セルの配列は、任意の性質でありうるが、いくつかの典型的な配列は、長方形グリッド、六角形グリッド、環状グリッド、極性グリッドなどを含みうる。純粋に例示の目的のために、図３Ａには、九個のトランシーバ・セル３００を有するトランシーバ・タイル２１０が示されている。
【００４７】
図３Ｂは、本開示の実施形態による一つまたは複数のトランシーバ・タイルを含むトランシーバ・アレイ２２０の上面図および側面図を示している。図示されるように、トランシーバ・アレイ２２０は、所定の仕方で配置された一つまたは複数のトランシーバ・タイル２１０を含んでいてもよい。たとえば、トランシーバ・タイル（または略してタイル）２１０は、物理的に曲げられて、湾曲したトランシーバ・アレイをさらに形成し、イメージャ１２０内に配置されてもよい。イメージャ１１２が任意の好適な数のタイルを含んでいてもよく、タイルは、任意の好適な仕方で配置されてもよく、各タイル２１０は、セル３００と同一または類似の任意の好適な数のトランシーバ・セルを含んでいてもよいことは、当業者には明白であるはずである。実施形態において、トランシーバ・アレイ２２０は、基板から作製されるミクロ機械加工されたアレイであってもよい。
【００４８】
図４Ａは、本開示の実施形態によるトランシーバ・セル３００の拡大図を示す。図示されるように、各セルは、一つまたは複数の任意に成形された膜４００を含む。図４Ａの三つの膜が純粋に例示の目的のために示されているが、他の好適な数の膜がトランシーバ・セル３００に含まれてもよい。実施形態において、トランシーバ・セル３００は、（これに限られないが）任意の幾何学的形状、たとえば長方形、菱形、六角形または円形であってもよい。
【００４９】
実施形態において、一つまたは複数の圧電素子４５０がそれぞれの膜４００に取り付けられてもよく、ここで、膜は、圧電素子４５０または外部圧力によってアクチュエーションされうる。実施形態において、膜４００および一つまたは複数の圧電素子４５０の組み合わせを使用して、超音波または音響波を送信し、膜に衝突する音響波または超音波を電気信号に変換する圧電トランスデューサを作り出すことができる。実施形態において、それぞれの膜４００は、任意の形状であることができ、種々の長さ、幅、および可変厚さを有することができる。
【００５０】
実施形態において、それぞれの膜４００は、一つまたは複数の主振動モードでアクチュエーションされてもよい。膜の共振周波数は、膜の物理的な幾何形状、膜の厚さの変動などのさまざまなパラメータによって決定されうる。実施形態において、膜４００の厚さの変動は、膜をエッチングすることと、膜上に材料を選択的に堆積することのうちの少なくとも一つによって達成されてもよい。
【００５１】
実施形態では、圧電素子４５０による膜４００のアクチュエーションによって音響出力、すなわち圧力波を生成することは、送信モード／プロセスとして知られ、Txと記される。同様に、膜上の外部圧力の、圧電素子上の電荷の変化への変換は、受信モード／プロセスとして知られ、Rxと記される。以下、膜４００と圧電素子４５０との組み合わせは、トランスデューサ素子４５２と呼ばれる。実施形態において、膜４００は、カンチレバー〔片持ち梁〕、単純に支持された梁、ダイヤフラム、波打ち（corrugated）ダイヤフラム、および他の単純に支持されたまたははめ込まれた装置を含むが、これらに限定されない、機械的に共振する要素として解釈されてもよい。
【００５２】
実施形態において、電気ワイヤによって圧電素子４５０への一つまたは複数の電気接続４１０が形成されてもよい。電気ワイヤ（図４Ａには示さず）は、ミクロ機械加工、ワイヤボンディング技術、または垂直相互接続を介して外部電気回路をセルに接続するなどのさまざまな技術によって、トランシーバ・セル３００上に堆積されてもよい。
【００５３】
図４Ｂは、本開示の実施形態による例示的な圧電素子４５０の断面図を示す。図示されるように、圧電素子４５０は：下部電極４６６、一つまたは複数の上部電極４６０、および上部電極と下部電極との間に配置された圧電層４６４を含んでいてもよい。純粋に例示の目的で図４Ｂにはユニモルフ圧電素子が示されているが、実施形態では、複数の圧電サブ層および電極から構成される多層圧電素子（マルチモルフ）が利用されることができる。また、図４Ｂは、例示の目的のために三つの上部電極を示しているが、実施形態において、圧電素子４５０は、一つまたは複数の上部電極を含むことができる。実施形態において、圧電層４６４は、PZT、KNN、PZT-N、PMN-Pt、AlN、Sc-AlN、ZnO、PVDF、およびLiNiO3のうちの少なくとも一つを含んでいてもよい。
【００５４】
実施形態において、圧電層４６４の厚さは100μm未満であってもよく、Txモード／プロセスにおける上部電極と下部電極との間の電位は1〜20Vであってもよい。対照的に、従来の圧電素子の上部電極と下部電極との間の電位は100〜200Vの範囲である。圧電素子４５０を駆動するための電力は、圧電素子を駆動するパルスまたは波形の電圧の二乗に比例しうるので、圧電素子４５０によって消費される電力は、従来の圧電素子によって消費される電力よりも著しく低くてもよい。
【００５５】
実施形態において、圧電素子４５０は、圧電ミクロ機械加工超音波トランスデューサであってもよく、半導体、MEMSまたは超音波産業において使用される通常の技術によって製造されてもよい。同様に、実施形態において、トランシーバ・アレイ２２０内の他のコンポーネントは、半導体、MEMSまたは超音波産業における通常の技術によって製造されてもよい。
【００５６】
図５は、本開示の実施形態による、図４Ａにおけるトランシーバ・セル３００の、線4-4に沿っての断面図を示している。図示されるように、膜４００と同じまたは同様であってもよい膜５０４は、さまざまな厚さを有し、複数の圧電素子５２０ａ〜５２０ｃに結合されてもよい。実施形態において、膜５０４は、懸架機構５０６によって下部基板５０１（これは図４Ａの基板４０２と同じまたは同様であってもよい）から懸架してもよい。
【００５７】
実施形態において、膜５０４の厚さは、溝５１１、波打ち形、および穿孔／開口５１２のうちの一つまたは複数を平面膜において形成することによって変化をつけられてもよい。実施形態において、膜５０４の厚さは、一つまたは複数の気密空洞が膜の下に形成されうるよう、平面膜において溝および／または波打ち形５１１のみを形成することによって変化をつけられてもよい。実施形態において、材料は、膜の上面および／または下面上にバンプ５１０を形成するよう、選択的に堆積されるか、または堆積されてパターン化されてもよく、ここで、バンプが膜の厚さを変化させる。実施形態において、膜５０４の厚さの変動は、エッチングおよび堆積技術のような通常のウエハー処理技術によって達成されてもよい。
【００５８】
実施形態において、一つまたは複数の圧電素子５２０ａ〜５２０ｃは、膜５０４の上面および／または下面に配置されてもよい。実施形態では、圧電素子５２０ａ〜５２０ｃのそれぞれは、二つ以上の端子を有し、異なるサイズおよび幾何形状を有していてもよい。たとえば、圧電素子５２０ａおよび５２０ｂは、二つの端子を有していてもよく、一方、圧電素子５２０ｃは、三つの端子（一つの下部電極および二つの上部電極）を有していてもよい。
【００５９】
実施形態において、圧電素子５２０ａ〜５２０ｃは、電気ワイヤ／導体（今や図５には示されている）に接続されてもよく、ここで、電気ワイヤは、ミクロ機械加工、パターニング、ワイヤボンディング技術、または三次元相互接続を介して外部電気回路をセルに接続することなどのさまざまな技術によって、膜５０４上に堆積されてもよい。
【００６０】
実施形態において、上部基板５０２は任意的な要素であってもよい。実施形態において、各対の金属導体５１６は、下部金属プレートに近接して配置された上部金属プレートを含み、それによりキャパシタを形成してもよい。動作中、外部圧力波に起因する膜５０４のたわみは、金属導体５１６のキャパシタンスの変化を測定することによって、測定されうる。実施形態において、レーザー５１４などの光源が、光源５１４によって放射された光が膜５０４における開口／穿孔５１２を通過しうるよう、膜５０４に近接して配置されてもよい。実施形態において、開口部５１２からの光は、上部基板が下部基板に接合されるときに、上部基板５０２を下部基板５０１に対して整列させるために使用されてもよい。
【００６１】
実施形態では、上部基板５０２はASICチップであってもよく、ASICチップは、圧電素子５２０ａ〜５２０ｃを制御するための電気、電子、またはフォトニック素子を含む。上部基板５０２は、これに限定されないが、電気スルービア、フリップチップ接合、共晶接合、またはミクロ機械加工されたデバイスで一般に使用される他のリード転写技術を含む多くの技術を通じて、膜５０４内の電気接続に接続されうる。実施形態において、ASICチップは、複数のバンプを含んでいてもよく、バンプは、垂直相互接続によって、またはワイヤボンディングによって、膜５０４上の電気回路に接続されてもよい。
【００６２】
図６〜７は、本開示の実施形態によるトランシーバ・セルの概略的な断面図を示している。図６に示されるように、膜６００は、両端で基板６０１から懸架され、一つまたは複数の機械的支持体６０４によって基板６０１との離間した関係を維持してもよい。実施形態において、一つまたは複数の圧電素子６０４ａ〜６０４ｃが、膜の上面に配置されてもよい。図５のように膜６００の下面に一つまたは複数の圧電素子が配置されてもよいことを注意しておく。また、膜の厚さに変化がつけられるよう、膜の上面（および／または下面）に一つまたは複数の溝６１０またはバンプが形成されてもよい。
【００６３】
実施形態において、一つまたは複数の空洞６０２ａ〜６０２ｃが、膜６００と基板６０１との間に形成されてもよく、空洞内部のガス圧は、膜の対応する部分の振動運動が制御されうるように調整されてもよい。たとえば、空洞６０２ａは、膜の部分６２０ａが垂直方向に自由に動けるよう真空であってもよく、空洞６０２ｃは気体で満たされて、膜の部分６２０ｃの振動運動が気体によって減衰されてもよい。
【００６４】
実施形態において、膜６００は、これに限られないがアノード接合、シリコン溶融接合、共晶接合、ガラスフリット接合、はんだ接着などの、一般に使われる基板接合および接着技術を使って、基板６０１に接合されて、膜６００の下に真空（たとえば６０２ａ）または空気ギャップ（たとえば６０２ｂおよび６０２ｃ）を作り出すことができる。この接合は、真空または空気ギャップにおける音響エネルギーの迅速な減衰を許容し、膜を水分または他の反応物から保護することができる。
【００６５】
実施形態において、さまざまな型の能動素子または受動素子がトランシーバ・セル間に組み込まれて、セル間の音響クロストークを低減してもよい。たとえば、基板６０１は、クロストークを減衰させるための溝（図６には示さず）を含んでもよい。別の例では、膜６００の基板６０１への接合がクロストークを低減してもよい。これらの受動的なクロストーク減衰機構に加えて、圧電素子６０４ａ〜６０４ｃのうちの一つまたは複数がアクチュエーションされて、クロストークを能動的に減衰させてもよい。このような能動クロストーク減衰機能は、電気的に励起されて、膜の支持体の機械的振動を物理的に減衰させてもよい。
【００６６】
図７において、膜７００は、両端で基板７０１から懸架され、一つまたは複数の支持体７０４によって基板７０１との離間した関係を維持してもよい。また、一つまたは複数の空洞７０２ａ〜７０２ｃが基板７０１と膜７０４との間に形成されてもよく、空洞７０２は、空洞６０２ａ〜６０２ｃと同様の機能を有していてもよい。実施形態において、膜７００は、これに限られないがアノード接合、シリコン溶融接合、共晶接合、ガラスフリット接合、はんだ接着などの一般的に使用される基板接合および接着技術を使って基板７０１に接合されてもよい。実施形態において、基板７０１は、膜７００に取り付けられた圧電素子を制御するための電気的、電子的、またはフォトニック素子を含むASICチップであってもよく、基板７０１は、垂直相互接続またはワイヤボンディングによって膜７００に電気的に接続されてもよい。
【００６７】
図８は、本開示の実施形態によって圧電素子８００内に曲げモーメントを生成する機構を示す。図示されるように、圧電素子８００は、上部電極８０２、圧電層８０４および下部電極８０６を含んでいてもよく、ここで、圧電層８０４は、上向きまたは下向きのいずれかの方向に分極（矢印Pによって示される）されうる。実施形態において、上部電極８０２と下部電極８０６の間に電位が印加されるときに電場（矢印Eによって示される）が生成されうる。分極方向に依存して、圧電素子８００は、異なる曲げモーメント（矢印Mによって示される）を生成しうる。Txモード／プロセスでは、圧電素子８００によって生成される曲げモーメントは、下にある膜に伝達され、膜を振動させ、圧力波を発生させる。
【００６８】
実施形態において、圧電層８０４の分極Pは、ポーリング（poling）〔分極処理〕と呼ばれるプロセスによって変えられてもよい。実施形態において、ポーリング・プロセスは、キュリー点より上の温度で、所定の時間期間にわたって、上部電極と下部電極の間に高電圧を印加することを含んでいてもよい。実施形態において、圧電層８０４の厚さおよび材料に依存して、ポーリング・プロセスのための電圧が変えられてもよい。たとえば、1μmの厚さの圧電層については、電圧ポテンシャルは約15Vであってもよい。
【００６９】
実施形態において、圧電素子は、二つより多くの電極を有していてもよい。たとえば、圧電素子５０２ｃは、二つの上部電極および一つの下部電極を有していてもよい。実施形態において、第一の上部電極の下の圧電層の第一の部分は、第一の方向にポーリングされてもよく、第二の電極の下の圧電層の第二の部分は、第二の方向にポーリングされてもよく、第一の方向は、第二の方向と平行または逆向きでありうる。
【００７０】
図９は、本開示の実施形態によって圧電素子８００上に電荷を発生させる機構を示している。図示するように、圧電素子８００は、曲げモーメントMを印加すると電荷を生じうる。実施形態では、圧電素子８０４は、上向きまたは下向きのいずれかの方向に分極されうる。分極方向に依存して、各圧電素子８００上に形成される電荷は、異なる極性を有しうる。実施形態において、下部電極８０６は、接地または所定の電圧バイアスに接続されてもよい。
【００７１】
Rxモード／プロセスでは、膜は、内部器官１１２から反射される圧力波などの外部圧力波によって曲げられてもよく、膜の曲がりは、圧電素子８００に伝達され、圧電素子上に電荷を発生させることができる。この電荷を使って、圧力波の強度が測定されてもよい。また、複数の圧電素子によって発生する電荷は、内部器官１１２の画像を得るために処理されてもよい。
【００７２】
実施形態において、膜の波打ちと称される膜の厚さに変化をつけることには、曲げモーメントの選択的な印加が膜のたわみプロファイルをさらに変化させうる領域を作り出すというさらなる恩恵がありうる。これは「応力整形」（stress  shaping）と呼ばれる。実施形態において、応力整形と膜の異なる部分への圧電素子の選択的な配置または取り付けとの組み合わせは、所定の仕方で膜を偏向させるために使用されてもよい。
【００７３】
図１０〜図１１は、本開示の実施形態による、複数の圧電素子への電気的接続の概略図を示している。例示の目的のために、圧電素子１０２４および１０２６は、二端子デバイスである、すなわち、各圧電素子は二つの電極をもつと想定される。ただし、各圧電素子は二つより多くの電極を有していてもよい。また、圧電素子１０２４および１０２６は、二つの電気ポート／端子１００６および１００８に電気的に結合されてもよい。
【００７４】
図１０において、第一の圧電素子１０２４の上部電極１０２０は、電気接続１０３０によって圧電素子１０２６の下部電極１０３０に接続されてもよく、上部電極１０２０は、電気端子１００６に結合されてもよい。同様に、第一の圧電素子１０２４の下部電極１０２２は、電気接続１０４０によって第二の圧電素子１０２６の上部電極１０２８に接続されてもよく、下部電極１０２２は、電気端子１００８に結合されてもよい。実施形態において、電気接続のこの構成は、二つの電気端子を使用することによって、異なる圧電素子を逆向きに分極させることを許容しうる。実施形態において、同じ二つの端子１００６および１００８が、TxおよびRxモードで使用されてもよい。この技術は、二つの端子１００６および１００８を介して操作される膜またはセル内の複数の圧電素子に容易に拡張することができる。
【００７５】
図１１では、圧電素子１１０２および１１０４の各々の分極は、図１０における対応する圧電素子の分極と反対であってもよい。このように、Txモード／プロセスでは、圧電素子１１０２および１１０４は、圧電素子１０２４および１０２６によって生成される曲げモーメントと反対の曲げモーメントを生成しうる。同様に、Rxモード／プロセスにおいて、圧電素子１１０２および１１０４は、圧電素子１０２４および１０２６によって形成される電荷とは反対の電荷を形成しうる。
【００７６】
実施形態において、図１０および図１１の電気的構成の一つの利点は、圧電素子の各々が「二ポート」電気デバイスとして動作可能であることである。多数の別個の圧電素子が膜上に配置されうるとしても、二ポート構成では、二つの電気ポート／端子１００６および１００８のみが必要とされうる。実施形態では、二ポート電気構成は、デバイスを動作させるのに必要な相互接続の数を大幅に減らしうるとともに、送信および受信モード電子回路の単純化に加えて、大きなタイルを作り出すのに有利でありうる。
【００７７】
実施形態において、複数の膜が単一のセル内で使用されて、セルからの音響出力を増加させてもよい。あるいはまた、セル内の膜のいくつかは、異なる共振周波数で動作するよう設計されてもよい。図１２は、本開示の実施形態によるトランスデューサ素子１２００の斜視図を示している。図１３は、本開示の実施形態による、線12-12に沿って取られた図１２のトランスデューサ素子の断面図を示している。図示されるように、トランスデューサ素子１２００は、複数の圧電素子１２２０および１２２４と結合された膜１２０４を含んでいてもよい。上から見ると、内側圧電素子１２２４は、丸まったコーナーをもつ長方形の形状を有していてもよく、外側圧電素子１２２０は、ベルトの形状を有していてもよく、圧電素子１２２４を取り囲んでいてもよい。実施形態において、内側圧電素子１２２４は、下向きに分極されてもよく、外側圧電素子１２２０は、上向きに分極されてもよい。膜１２０４は、膜１２０４の厚さが変えられるように、一つまたは複数の溝１２３０を有してもよい。膜１２０４は、基板１２０２から懸架されてもよく、基板１２０２は、膜１２０４が基板１２０２の上面に接触することなく振動しうるように、空洞１２３２を有してもよい。実施形態において、空洞１２３２は、真空であってもよく、または所定の圧力で気体で満たされていてもよい。
【００７８】
実施形態において、Txモード／プロセスでは、圧電素子１２２０および１２２４にかかる適切な電気信号の印加は、膜１２０４のピストン運動を生じうる。図１４は、本開示の実施形態によるTxモード／プロセスにおける膜１２０４の数値シミュレーションを示す。図示されるように、膜１２０４の中心部分は、電場が波打ち形の膜１２０４上の圧電素子１２２０および１２２４に印加されるとき、ピストン運動を有しうる（すなわち、上方に動く）。実施形態において、ピストン運動は、圧力レベルが膜１２０４の体積変位に正比例するので、音響出力の有意な増加をもたらしうる。シミュレーション結果は、ピストン運動が膜の単純な曲げ運動と比較して音響送信を9 dB増加させうることを示している。
【００７９】
実施形態において、圧電素子１２２０および１２２４を作動させる電気信号の間の時間遅延または位相遅延を調整することによって、膜の中央部分の変位（利得）の増加が達成されうる。図１５は、本開示の実施形態による時間／位相遅延の関数としての膜１２０４の利得のプロットを示している。図示されるように、膜１２０４の中心部分の変位（利得）は、圧電素子１２２０および１２２４を駆動するための電気信号間の位相遅延が約90度であるときに、その最大値に達しうる。
【００８０】
実施形態において、Rxモード／プロセスでは、膜１２０４の異なる部分に逆向きの曲げモーメントが現われることがある。圧電素子１２２０および１２２４は逆向きに分極されているので、同じ極性の電荷が両方の圧電素子に現われることがある。実施形態において、圧電素子１２２０および１２２４への電気接続は、同じ極性の電荷を収集するように配置されてもよい。シミュレーション結果によれば、二つの逆向きに分極した素子の使用は、一つの分極のみを使用する場合と比較して、電荷発生を約50%増加させうる。
【００８１】
図１６は、本開示の実施形態による異なる共振周波数特性を有する複数の膜１６０４ａおよび１６０４ｂを有するトランシーバ・セル１６００の概略図を示している。図示されるように、複数の膜１６０４ａおよび１６０４ｂは、基板１６０２上に配置されていてもよい。実施形態において、膜の寸法および膜の離間は、放出される音の主波長のある割合に維持されてもよく、これは、トランスデューサ・セル１６００の帯域幅を増加させうる。
【００８２】
図１７は、本開示の実施形態による周波数の関数としての膜１６０４ａおよび１６０４ｂの利得のプロットを示している。実施形態において、膜１６０４ａおよび１６０４ｂは、それぞれ異なる共振周波数特性１７０２および１７０４を有していてもよい。
【００８３】
実施形態において、帯域幅が増加したトランスデューサ・セルは、高調波イメージング・モードで動作させられてもよい、すなわち、Txモード周波数がRxモード周波数と異なるので、望ましいことがありうる。高調波イメージングを使う実施形態では、圧電素子を駆動するために第一のパルスが送られ、続いて第二のパルスが送られ、圧電素子は、第一のパルスに対して逆相で第二のパルスによって駆動される。この技術は一般にパルス反転と呼ばれる。
【００８４】
実施形態において、トランシーバ・セル内の複数の膜は、以下の設計ポイントのうちの一つまたは複数を変化させることによって、異なる周波数で送信または受信するように設計されうる：（１）膜の波打ちパターン、（２）圧電素子の形状、（３）膜の物理的寸法、および（４）圧電素子の分極。
【００８５】
図１８Ａは、本開示の実施形態による、基板１８０２と、異なる共振周波数特性を有する複数の膜１８０４ａ〜１８０４ｃとを含むトランシーバ・セル１８００の概略図を示している。図１８Ｂは、本開示の実施形態による、周波数の関数としての膜１８０４ａ〜１８０４ｃの利得のプロットを示している。図１８Ｂにおいて、曲線１８２２、１８２４および１８２６は、それぞれ、膜１８０４ａ、１８０４ｃおよび１８０４ｂに対応する。図示されるように、膜１８０４ｂのピーク利得に対応する周波数は、膜１８０４ａおよび１８０４ｃのピーク利得に対応する周波数から離されてもよい。
【００８６】
実施形態において、膜１８０４ａおよび１８０４ｃは、TxおよびRx両方のモードで動作させられてもよく、一方、膜１８０４ｂは、Rxモードのみで動作させられてもよい。膜１８０４ａおよび１８０４ｃの共振周波数は、膜１８０４ａおよび１８０４ｃの周波数利得応答を調整することによってトランスデューサの帯域幅を増加するように設計されてもよく、一方、膜１８０４ｂは、Rxモードでのみ動作し、Txモードの高調波応答を受信するよう設計されてもよい。
【００８７】
図１９Ａは、本開示の実施形態による、異なる周波数応答を有する複数の膜１９０２ａ〜１９０２ｃを有するトランシーバ・セル１９００の概略図を示している。図示されるように、三つの膜１９０２ａ〜１９０２ｃは、基板１９０４上に配置されていてもよい。図１９Ｂは、本開示の実施形態による周波数の関数としての図１９Ａの膜の利得のプロットを示している。図１９Ｂにおいて、曲線１９２２ａ〜１９２２ｃは、それぞれ、膜１９０２ａ〜１９０２ｃに対応しうる。図示されるように、三つの膜１９０２ａ〜１９０２ｃは、異なる周波数応答を有していてもよく、最大利得における周波数は、互いから分離されており、トランスデューサ・セルの帯域幅を増加させる。トランスデューサ・セル１９００は、増大した帯域幅を有していてもよいので、トランスデューサ・セルは、高調波イメージング・モードで動作させられてもよい、すなわち、Txモード周波数がRxモード周波数とは異なる。
【００８８】
図２０は、本開示の実施形態による、複数のトランスデューサ素子２００４ａ〜２００４ｃを有するトランシーバ・セル２０００の概略図を示している。図示されるように、トランスデューサ素子２００４ａ〜２００４ｃは、基板２００２上に配置されてもよく、各トランスデューサ素子は、膜、好ましくは波打ち形にされた膜、および膜上に配置された複数の圧電素子を含んでいてもよい。図示されるように、膜上の各圧電素子の分極方向は、上向き矢印２０１０または下向き矢印２０１２によって示される。
【００８９】
図２１Ａは、本開示の実施形態による第一の共振モードでアクチュエーションされる膜を示している。図示されるように、トランスデューサ素子２００４ａは、懸架機構２１０４によって基板２００２から懸架されうる膜２１０２を含んでいてもよい。複数の圧電素子２１０６は、膜２１０２上に配置されてもよく、各圧電素子は、矢印Pによって示されるように、上向きまたは下向きに分極されてもよい。
【００９０】
好適な電気信号が膜２１０２上の圧電素子２１０６に印加されると、膜２１０２は、第一の共振モードで振動しうる。図２１Ｂは、本開示の実施形態による第一共振モードでアクチュエーションされる膜２１０２を示している。（簡単のため、図２１Ｂでは圧電素子２０１６は示されていない。）
【００９１】
実施形態において、膜上の圧電素子の極性は、膜が異なる共振モードで振動できるように配置されてもよい。図２２Ａは、本開示の実施形態によるトランスデューサ素子２００４ｂの断面図を示している。図２２Ｂは、本開示の実施形態による第三共振モードでアクチュエーションされる膜２２０２を示している。トランスデューサ素子２００４ｂはトランスデューサ素子２００２ｂと同様であってもよいが、圧電素子２２０６が圧電素子２１０６とは異なる極性をもつという違いがある。図２２Ｂに示されるように、膜２２０２は、電場が圧電素子２２０６に印加されるとき、第三共振モードで振動しうる。
【００９２】
図２３Ａは、本開示の実施形態によるトランスデューサ素子２００４ｃの断面図を示している。図２３Ｂは、本開示の実施形態による第五共振モードでアクチュエーションされる膜２３０２を示している。図示されるように、トランスデューサ素子２００４ｃはトランスデューサ素子２００４ａと同様であってもよいが、圧電素子２３０６が圧電素子２１０６とは異なる極性をもつという違いがある。図２３Ｂに示されるように、膜２３０２は、電場が圧電素子２３０６に印加されるとき、第五共振モードで振動しうる。
【００９３】
実施形態において、Rxモード／プロセスにおいて、異なる周波数の外部圧力波の印加は、異なるモードでの膜の励起につながりうる。実施形態において、圧電素子の分極は、外部圧力波がそれぞれの膜を横断して同じ極性をもつ電荷を生じうるように配置されてもよい。そのような構成の恩恵の一つは、TxおよびRxモードにおける膜の周波数応答の形成に対する前例のない制御を可能にしうるということである。
【００９４】
図２４〜図２８は、本開示の実施形態による、二つの膜をもつ例示的なトランシーバ・セルを製造するためのステップを示している。図２４のＡは、基板２４０４上に配置された二つの膜２４０８の上面図を示し、図２４のＢは、本開示の実施形態による、線24-24に沿って取られた膜および基板の断面図を示している。図示されるように、実施形態において、膜２４０８は、基板２４０４上に膜層２４０６を堆積することによって形成されてもよく、基板２４０４の一部を除去するよう二つの空洞２４１０が形成され、それにより基板２４０４に対して垂直方向に振動しうる膜２４０８を形成してもよい。実施形態において、空洞２４１０は、エッチングなどの通常のウエハー処理技術によって形成されてもよい。実施形態において、基板２４０４は、膜層２４０６と同じ材料から形成されてもよい。代替的な実施形態では、基板２４０４は、膜層２４０６とは異なる材料から形成されてもよい。空洞２４１０は、トランスデューサ・セルの上部導体（図２８の２８０２）のような他のコンポーネントが形成された後に形成されてもよいことを注意しておく。
【００９５】
図２５は、本開示の実施形態による、下部電極２５０２および三つの下部導体２５０４ａ〜２５０４ｃを示す。図示されるように、膜２４０８のそれぞれは、三つの下部電極２５０２を有していてもよく、下部電極２５０２のそれぞれは、三つの下部導体２５０４ａ〜２５０４ｃのうちの一つに電気的に接続されていてもよい。実施形態において、下部電極２５０２は、第一の金属から形成されてもよく、下部導体２５０４ａ〜２５０４ｃは、第二の金属から形成されてもよく、第一の金属は、第二の金属と同じ（または異なる）ものでありうる。
【００９６】
図２６は、本開示の実施形態による、六つの下部電極２５０２および三つの下部導体２５０４ａ〜２５０４ｃ上に配置された圧電層２６０２、２６０４および２６０６を示している。図２７は、本開示の実施形態による、圧電層２６０２、２６０４および２６０６上に配置された上部電極２７０２および２７０４を示している。図示されるように、三つの上部電極がそれぞれの膜２４０８の上方に形成されてもよい。すなわち、それぞれの膜２４０８は、三つの圧電素子を含みうる。実施形態において、上部電極２７０２および２７０４のうちの一つ、圧電層２６０２、２６０４および２６０６のうちの一つ、および下部電極２５０２のうちの一つが二端子圧電素子を形成してもよく、電位が上部電極と下部電極の間に印加されると振動しうる。
【００９７】
図２８は、本開示の実施形態による、上部電極２７０２および２７０４に電気的に接続される上部導体２８０２および２８０４を示している。上部導体２８０２は、二つの上部電極２７０４に電気的に接続されていてもよく、上部導体２８０４は、四つの上部電極２７０２に電気的に接続されていてもよい。実施形態において、上部電極は、ビアを通じて下部導体２５０４ａおよび２５０４ｂに電気的に接続されてもよい。たとえば、ビア２８０６および２８０８は、四つの上部電極２７０２を下部導体２５０４に電気的に接続してもよく、一方、ビア２８１０および２８１２は、二つの上部電極２７０４を下部導体２５０４ｂおよび２５０４ｃに電気的に接続してもよい。
【００９８】
図２９は、本開示の実施形態による、異なる電極パターンを有する三つのトランシーバ・セル２９０２ａ〜２９０２ｃの概略図を示している。図示されるように、各トランシーバ・セル（たとえば、２９０２ａ）は、一つの膜(たとえば、２９０４ａ）および該膜上に配置された四つのトランスデューサ素子（たとえば、２９０６ａ）を有していてもよい。実施形態において、各トランシーバ・セルの利得は、トランスデューサ素子のサイズ、形状および数、各トランスデューサ素子の上部電極のサイズおよび形状、各膜のサイズおよび形状、トランスデューサ素子間の間隔、各トランスデューサ素子の分極など、様々な要因の関数でありうる。
【００９９】
例示の目的のために、図２９において、トランスデューサ・セルの利得を制御するために上部電極の投射面積が変えられる。実施形態では、トランスデューサ素子２９０４ｃの上部電極はトランスデューサ素子２９０４ｂの上部電極よりも大きく、トランスデューサ素子２９０４ｂの上部電極はトランスデューサ素子２９０４ａの上部電極よりも大きい。トランスデューサ素子２９０６ａ〜２９０６ｃのサイズおよび数ならびに膜２９０４ａ〜２９０４ｃのサイズなどの、利得に影響する他の要因は、トランシーバ・セル２９０２ａ〜２９０２ｃにおいて同じであるが、トランシーバ・セル２９０２ａ〜２９０２ｃの利得は、上部電極のサイズに依存して変わってくる。図３０は、周波数の関数としてのトランシーバ・セル２９０２ａ〜２９０２ｃの利得のプロットを示し、曲線３００２、３００４、および３００６は、それぞれ、トランシーバ素子２９０２ａ〜２９０２ｃに対応してもよい。図示されるように、トランシーバ・セルの利得は、上部電極のサイズが増加するにつれて減少する。
【０１００】
当業者には、実施形態において、次のことが明白であるはずである：（ｉ）トランシーバ・アレイ、タイル、セル膜、圧電素子および圧電素子の電極のそれぞれは任意の好適な形状をもちうる；（ｉｉ）トランシーバ・アレイにおけるタイルの配置、タイル中のセルの配置、セル中の膜の配置、膜上の圧電素子の配置、および圧電素子上の電極の配置およびキャパシタ・パッドの配置は任意でありうる；（ｉｉｉ）膜の厚さの変動は、膜の性能を向上させるまたは変化させるために任意に変更されうる；（ｉｖ）トランシーバ・アレイにおけるタイルの数、タイル中のセルの数、セル中の膜の数、および膜中の圧電素子の数を設計によって変化させることができる；（ｖ）圧電素子の分極をデバイスの動作中に変化させることができる；（ｖｉ）トランシーバ・アレイ内のコンポーネントが有益な仕方で組み合わされてもよい；（ｖｉｉ）レーザー光の透過を許容する膜内の穿孔の配置が任意でありうる；（ｖｉｉｉ）層間誘電体、電気ビア、電気的再分配層、音響インピーダンス整合層、防湿バリア、ハウジング、および電気的相互接続が、半導体、MEMS、または超音波産業において典型的に使用される材料から形成されうる。
【０１０１】
本発明はさまざまな変形および代替形態が可能であるが、その具体的な例を図面に示し、本明細書で詳細に記載してきた。しかしながら、本発明が開示された特定の形に限定されるものではなく、逆に、本発明は、添付の請求項の範囲内にはいるあらゆる修正、均等物および代替物をカバーするものであることを理解しておくべきである。
【図１】
2020501473.tif 000003
【図２】
2020501473.tif 000004
【図３Ａ】
2020501473.tif 000005
【図３Ｂ】
2020501473.tif 000006
【図４Ａ】
2020501473.tif 000007
【図４Ｂ】
2020501473.tif 000008
【図５】
2020501473.tif 000009
【図６】
2020501473.tif 000010
【図７】
2020501473.tif 000011
【図８】
2020501473.tif 000012
【図９】
2020501473.tif 000013
【図１０】
2020501473.tif 000014
【図１１】
2020501473.tif 000015
【図１２】
2020501473.tif 000016
【図１３】
2020501473.tif 000017
【図１４】
2020501473.tif 000018
【図１５】
2020501473.tif 000019
【図１６】
2020501473.tif 000020
【図１７】
2020501473.tif 000021
【図１８Ａ】
2020501473.tif 000022
【図１８Ｂ】
2020501473.tif 000023
【図１９Ａ】
2020501473.tif 000024
【図１９Ｂ】
2020501473.tif 000025
【図２０】
2020501473.tif 000026
【図２１Ａ】
2020501473.tif 000027
【図２１Ｂ】
2020501473.tif 000028
【図２２Ａ】
2020501473.tif 000029
【図２２Ｂ】
2020501473.tif 000030
【図２３Ａ】
2020501473.tif 000031
【図２３Ｂ】
2020501473.tif 000032
【図２４】
2020501473.tif 000033
【図２５】
2020501473.tif 000034
【図２６】
2020501473.tif 000035
【図２７】
2020501473.tif 000036
【図２８】
2020501473.tif 000037
【図２９】
2020501473.tif 000038
【図３０】
2020501473.tif 000039
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
基板と；
前記基板から懸架される少なくとも一つの膜と；
前記少なくとも一つの膜に取り付けられた複数のトランスデューサ素子とを有する、
トランシーバ素子であって、
前記複数のトランスデューサ素子のそれぞれは、下部電極、下部電極上の圧電層および圧電層上の少なくとも一つの上部電極を有し、前記複数のトランスデューサ素子のそれぞれは、前記下部電極と前記少なくとも一つの上部電極の間に電位を印加することに応答して曲げモーメントを生成し、曲げモーメントを印加することに応答して電荷を生成し、
前記複数のトランスデューサ素子のうちの第一のトランスデューサ素子の圧電層が、前記複数のトランスデューサ素子のうちの第二のトランスデューサ素子の圧電層と逆向きに分極されている、
トランシーバ素子。
【請求項２】
前記少なくとも一つの膜が、溝およびバンプの少なくとも一方を含み、それにより可変の厚さをもつ、請求項１記載のトランシーバ素子。
【請求項３】
前記第一および第二のトランスデューサ素子が逆向きの曲げモーメントを生成する、請求項１記載のトランシーバ素子。
【請求項４】
前記第一のトランスデューサ素子が前記第二の圧電素子と同じ向きの曲げモーメントを生成する、請求項１記載のトランシーバ素子。
【請求項５】
前記第一のトランスデューサ素子の前記少なくとも一つの上部電極が、前記第二のトランスデューサ素子の前記下部電極に電気的に結合され、前記第一のトランスデューサ素子の前記下部電極が前記第二のトランスデューサ素子の前記少なくとも一つの上部電極に電気的に結合されている、請求項１記載のトランシーバ素子。
【請求項６】
前記圧電層が一つまたは複数の圧電サブ層を含む、請求項１記載のトランシーバ素子。
【請求項７】
前記少なくとも一つの膜が第一および第二の膜を含み、前記第一および第二の膜が異なる共振モードでアクチュエーションされる、請求項１記載のトランシーバ素子。
【請求項８】
前記第一のトランスデューサ素子に加えられる電気信号が前記第二のトランスデューサ素子に加えられる電気信号に対して位相遅延をもつ、請求項１記載のトランシーバ素子。
【請求項９】
前記少なくとも一つの膜が第一および第二の膜を含み、前記第一の膜は送信モードにおいて圧力波を生成するために動作し、前記第二の膜は受信モードにおいて圧力波を検出するためにのみ動作する、請求項１記載のトランシーバ素子。
【請求項１０】
前記基板が前記少なくとも一つの膜の下に配置された少なくとも一つの空洞を含み、前記空洞は真空であるまたは気体で充填されている、請求項１記載のトランシーバ素子。
【請求項１１】
第二の基板をさらに有しており、前記第二の基板は第一の金属導体を含み、前記少なくとも一つの膜は第二の金属導体を含み、前記第一および第二の金属導体がキャパシタを形成する、請求項１記載のトランシーバ素子。
【請求項１２】
第二の基板をさらに有しており、前記第二の基板は光源を含み、前記少なくとも一つの膜は前記光源によって発される光の一部を通過させるよう配置された開口を含む、請求項１記載のトランシーバ素子。
【請求項１３】
前記圧電層が、PZT、KNN、PZT-N、PMN-Pt、AlN、Sc-AlN、ZnO、PVDFおよびLiNiO3のうちの少なくとも一つを含む、請求項１記載のトランシーバ素子。
【請求項１４】
前記基板において形成され、かつ膜と膜の間に配置された一つまたは複数の溝をさらに有する、請求項１記載のトランシーバ素子。
【請求項１５】
圧力波を発生させ、外部圧力波を電気信号に変換するためのトランシーバ・セルと；
前記トランシーバ・セルの動作を制御するための制御ユニットとを有するイメージング・システムであって、
前記トランシーバ・セルは：
基板と；
前記基板から懸架される少なくとも一つの膜と；
前記少なくとも一つの膜に取り付けられた複数のトランスデューサ素子とを含み、前記複数のトランスデューサ素子のそれぞれは、下部電極、下部電極上の圧電層および圧電層上の少なくとも一つの上部電極を有し、前記複数のトランスデューサ素子のそれぞれは、前記下部電極および前記少なくとも一つの上部電極の間に電位を印加することに応答して曲げモーメントを生成し、前記外部圧力波に起因する曲げモーメントに応答して電荷を生成し、
前記複数のトランスデューサ素子のうちの第一のトランスデューサ素子の圧電層が、前記複数のトランスデューサ素子のうちの第二のトランスデューサ素子の圧電層と逆向きに分極されている、
イメージング・システム。
【請求項１６】
前記トランシーバ・タイルによって生成された圧力波を集束させるためのコーティング層をさらに有する、
請求項１５記載のイメージング・システム。
【請求項１７】
前記電気信号を処理するためのプロセッサと；
前記プロセッサからの処理された信号に基づいて画像を表示するためのディスプレイとをさらに有する、
請求項１５記載のイメージング・システム。
【請求項１８】
前記少なくとも一つの膜は第一および第二の膜を含み、前記第一および第二の膜は異なる共振モードでアクチュエーションされる、請求項１５記載のイメージング・システム。
【請求項１９】
基板と；
前記基板から懸架され、前記基板に対して動くよう前記基板から離間されている部分を含む少なくとも一つの膜と；
前記少なくとも一つの膜の前記部分の上面に取り付けられた複数のトランスデューサ素子とを有する、
トランシーバ素子であって、
前記複数のトランスデューサ素子のそれぞれは、下部電極、下部電極上の圧電層および圧電層上の少なくとも一つの上部電極を有し、前記複数のトランスデューサ素子のそれぞれは、前記下部電極と前記少なくとも一つの上部電極の間に電位を印加することに応答して曲げモーメントを生成し、曲げモーメントを印加することに応答して電荷を生成し、前記複数のトランスデューサ素子は互いから物理的に離間されている、
トランシーバ素子。
【請求項２０】
前記複数のトランスデューサ素子のうちの第一のトランスデューサ素子が、前記複数のトランスデューサ素子のうちの第二のトランスデューサ素子と逆向きに分極されている、請求項１９記載のトランシーバ素子。
【請求項２１】
前記第一のトランスデューサ素子の前記少なくとも一つの上部電極が、前記第二のトランスデューサ素子の前記下部電極に電気的に結合され、前記第一のトランスデューサ素子の前記下部電極が前記第二のトランスデューサ素子の前記少なくとも一つの上部電極に電気的に結合されている、請求項１９記載のトランシーバ素子。
【請求項２２】
圧力波を発生させ、外部圧力波を電気信号に変換するためのトランシーバ・セルと；
前記トランシーバ・セルの動作を制御するための制御ユニットとを有するイメージング・システムであって、
前記トランシーバ・セルは：
基板と；
前記基板から懸架され、前記基板に対して動くよう前記基板から離間されている部分を含む少なくとも一つの膜と；
前記少なくとも一つの膜の前記部分の上面に取り付けられた複数のトランスデューサ素子とを含み、前記複数のトランスデューサ素子のそれぞれは、下部電極、下部電極上の圧電層および圧電層上の少なくとも一つの上部電極を有し、前記複数のトランスデューサ素子のそれぞれは、前記下部電極と前記少なくとも一つの上部電極の間に電位を印加することに応答して曲げモーメントを生成し、曲げモーメントを印加することに応答して電荷を生成し、前記複数のトランスデューサ素子は互いから物理的に離間されている、
イメージング・システム。
【請求項２３】
前記複数のトランスデューサ素子のうちの第一のトランスデューサ素子が、前記複数のトランスデューサ素子のうちの第二のトランスデューサ素子と逆向きに分極されている、請求項２２記載のイメージング・システム。
【請求項２４】
前記第一のトランスデューサ素子の前記少なくとも一つの上部電極が、前記第二のトランスデューサ素子の前記下部電極に電気的に結合され、前記第一のトランスデューサ素子の前記下部電極が前記第二のトランスデューサ素子の前記少なくとも一つの上部電極に電気的に結合されている、請求項２２記載のイメージング・システム。
【国際調査報告】
2020501473.tif 000040
2020501473.tif 000041